(57)【特許請求の範囲】
【請求項１】
先端部に毛髪切断用の刃部を備える本体と、該本体に対して着脱自在に且つスライド自在に取り付けられる刈り高さ調整用のアタッチメントとからなるヘアカッターであって、本体の下側半周を覆う断面Ｕ字形の上記アタッチメントはその両側上縁に折り返し片を一体に備えており、アタッチメントにおける上記折り返し片との間に形成された下方に開口する溝内に位置してアタッチメントのスライドガイドを行うガイドリブを備える上記本体は、その両側面にアタッチメントの内側面を外側に向けて押圧するばね部材を具備していることを特徴とするヘアカッター。
【請求項２】
本体はその下面にアタッチメントの内底面を下方に向けて付勢する付勢部材を具備していることを特徴とする請求項１記載のヘアカッター。
【請求項３】
上記付勢部材は、アタッチメントのスライドに際してアタッチメントの内底面に形成された複数のクリック用凹部に選択的に係合するクリック位置決め部材を兼ねたものであることを特徴とする請求項２記載のヘアカッター。
【請求項４】
本体に対して着脱自在な上カバーを備えるとともに、本体の上側を覆う上記上カバーはアタッチメントの両側上縁の折り返し片上面を押さえ込むものであることを特徴とする請求項１〜３のいずれか１項に記載のヘアカッター。
【請求項５】
上記上カバーは、本体の後端部に配された吸引用ファンに繋がる吸引路を本体の上面との間に形成するものであることを特徴とする請求項４記載のヘアカッター。
【発明の詳細な説明】
【技術分野】
【０００１】
本発明は、ヘアカッター、殊に刈り高さ調整用のアタッチメントを備えているヘアカッターに関するものである。
【背景技術】
【０００２】
ヘアカッターにおいて、頭皮に接触することになるコーム部を備えたアタッチメントをヘアカッターの本体に装着して、毛髪切断用の刃部と頭皮との間の距離をアタッチメントによって規制することで刈り高さを調節することができるようにしたものが従来から提供されている。
【０００３】
このようなアタッチメントを備えたヘアカッターにおいて、単一のアタッチメントで刈り高さを切り換えられるようにするために、アタッチメントを本体に対して着脱自在とするだけでなく、スライド自在として上記距離を変化させることができるようにしたものがあるが、この種のものではアタッチメントを筒状に形成して本体に被せるように装着することで、本体に対してアタッチメントにがたつきが生じないようにすることがなされている。（例えば、特許文献１参照）
しかし、切断した毛髪を引き込む吸引口を本体の刃部の近傍に開口させるとともに、吸引口から吸引用ファンに至る吸引路の掃除を容易とするために吸引路を開放することができるようにする場合、上記の筒状アタッチメントを備えたものでは、アタッチメントを外さなくては、吸引路を開放することができず、使い勝手の点で問題がある。
【０００４】
もちろん、アタッチメントを筒状とせずに、上記吸引路を開放するための部材とアタッチメントとが干渉しないようにすればよいわけであるが、この場合、アタッチメントの本体への装着部の部品精度をかなり高くしないことにはアタッチメントにがたつきが生じるものであり、このようながたつきは刃部を駆動してヘアカットを行う時に騒音を発生してしまうことになる。しかし、がたつきのない部品精度を得ることは生産管理上、難しい。
【特許文献１】特開２００５−７３９３３公報
【発明の開示】
【発明が解決しようとする課題】
【０００５】
本発明は上記の従来の問題点に鑑みて発明したものであって、筒状ではないアタッチメントを備えたものであるにもかかわらず、生産管理が容易であると同時にアタッチメントにがたつきが生じることがないヘアカッターを提供することを課題とするものである。
【課題を解決するための手段】
【０００６】
上記課題を解決するために本発明に係るヘアカッターは、先端部に毛髪切断用の刃部を備える本体と、該本体に対して着脱自在に且つスライド自在に取り付けられる刈り高さ調整用のアタッチメントとからなるヘアカッターであり、本体の下側半周を覆う断面Ｕ字形の上記アタッチメントはその両側上縁に折り返し片を一体に備えており、アタッチメントにおける上記折り返し片との間に形成された下方に開口する溝内に位置してアタッチメントのスライドガイドを行うガイドリブを備える上記本体は、その両側面にアタッチメントの内側面を外側に向けて押圧するばね部材を具備していることに特徴を有している。
【０００７】
アタッチメントにおける折り返し片とガイドリブとがばね部材による付勢を受けることで、アタッチメントの確実なガイドとがたつきの発生の防止とを行うようにしたものである。
【０００８】
上記本体はその下面にアタッチメントの内底面を下方に向けて付勢する付勢部材を具備していると、さらに確実にがたつきを防ぐことができ、殊に上記付勢部材が、アタッチメントのスライドに際してアタッチメントの内底面に形成された複数のクリック用凹部に選択的に係合するクリック位置決め部材を兼ねたものであると、アタッチメントをスライドさせる際のクリック動作も得ることができる。
【０００９】
本体に対して着脱自在な上カバーを備えるとともに、本体の上側を覆う上記上カバーがアタッチメントの両側上縁の折り返し片上面を押さえ込むものであってもよい。この場合も更に確実ながたつき防止を行うことができる。
【００１０】
そして上記上カバーが、本体の後端部に配された吸引用ファンに繋がる吸引路を本体の上面との間に形成するものであれば、吸引路を開放しての掃除が容易となる。
【発明の効果】
【００１１】
本発明は、アタッチメントにおける折り返し片と本体のガイドとが、ばね部材による付勢を受けて常に接触する状態となるために、アタッチメントが断面Ｕ字形で本体に被せられる筒状でないにもかかわらず、アタッチメントのスライド動作がスムーズになる上にアタッチメントにがたつきが生じにくいものであり、また刃部の動作時に騒音の発生源となることもないものである。しかも、アタッチメントと本体との精度を高くしなくてもがたつきが生じないために、生産管理も容易なものである。
【発明を実施するための最良の形態】
【００１２】
以下、本発明を添付図面に示す実施形態に基いて説明すると、このヘアカッターは、図２に示すように、櫛刃状の固定刃と同じく櫛刃状の可動刃とからなる刃部２を先端に備えた本体１と、刈り高さ調整用であって本体１に対して着脱自在となっているアタッチメント３とからなるもので、上記本体１は、図３及び図４に示すように、その先端側上面に着脱自在な上カバー４を備え、後部内に吸引用のファン５及び該ファン５の駆動用のモータ５０を内蔵したもので、前記刃部２における可動刃を往復駆動するためのモータ２０は本体１の先端部内に納められている。
【００１３】
上記上カバー４は、本体１の先端側の上面との間に吸引路６を形成するもので、本体１に対して着脱自在である該上カバー４の先端側はスライドによって伸縮するスライドカバー部４０となっており、吸引路６はこのスライドカバー部４０の先端縁で形成される開口で形成される吸引口６０と、上記吸引用のファン５の前面に配されたフィルター５１との間をつなぐものとなっている。
【００１４】
なお、スライドカバー部４０は、毛屑の吸引には吸引口６０が刃部２に近接した位置にあることが有利であるのに対して、耳の回りの毛髪をカットする時などは吸引口６０を構成する部材が刃部２の近傍にあっては邪魔になってしまうことに鑑みて、スライドによって後退させることができるようにしたものである。
【００１５】
また、ここにおける本体１は、その上記モータ２０の収納部と、上記ファン５及びモータ５０の収納部との間の空間６２が上記吸引路６の一部を構成するものとなっており、吸引された毛屑はこの部分に溜められる。上カバー４はこの部分も覆うものとなっているために、上カバー４（スライドカバー部４０を含む）を本体１から取り外すことで、溜まった毛屑を容易に排出することができる。図中１５は排気口、１６は本体１の上面両側から立設されて上カバー４を係止しているフック、１７は上カバー４の後端から突設されて本体１の後部に係止されるフック、２１はモータ２０の回転を往復運動に変換する運動変換機構部である。
【００１６】
一方、刈り高さ調整用のアタッチメント３は、断面Ｕ字形の半割筒状に形成されるとともに前端側にコーム部３０を備えたもので、本体１の先端部の下部半周に着脱自在に且つ前後にスライド自在に装着されるのであるが、このアタッチメント３は図６に示すように両側上縁に内側に向けて突出するとともに先端が下方を向いた折り返し片３１，３１を備えており、また内部底面には前後方向に間隔をおいて複数個のクリック用凹部３２を備えている。
【００１７】
そして上記アタッチメント３を本体１に装着した時、図１に示すように、本体１の先端部の上面両側に設けた上方に突出するガイドリブ１９が折り返し片３１によって形成される溝内に位置するものであり、また本体１の両側に夫々配設されている板ばねからなるばね部材１２，１２がアタッチメント３の両側内面に接触する。これらばね部材１２，１２は、アタッチメント３の両側片を側方に押圧して広げることで、上記折り返し片３１の内面をガイドリブ１９に接触させた状態を常時保つものであり、このためにガイドリブ１９に沿ったアタッチメント３の前後スライドは左右にがたつきのないスムーズなものとなっている。
【００１８】
また、本体１の先端部下面には、ばね付勢によって下方に突出するクリック用突部１４を配置して、該クリック用突部１４がアタッチメント３の内底面に設けた上記クリック用凹部３２に嵌り込むことで、アタッチメント３のクリック位置決めを行うようにしているのであるが、上記クリック用突部１４はクリック用凹部３２に嵌り込んだ状態においてもアタッチメント３の内部底面を下方へと付勢するようにしており、しかもフック１６による係止で本体１の先端部上面側に取り付けられる前記上カバー４は、その両側下縁が図１に示すようにアタッチメント３の両側上縁を押さえ込むために、アタッチメント３は上下方向においてもがたつきがない状態に取り付けられるものであり、これ故にアタッチメント３は更にがたつきのないスムーズなスライド動作を行うものとなっている。
【図面の簡単な説明】
【００１９】
【図１】本発明の実施の形態の一例の横断面図（図５中のＡ−Ａ線断面図）である。
【図２】同上の斜視図である。
【図３】同上の本体の斜視図である。
【図４】同上の本体の縦断面図である。
【図５】同上の平面図である。
【図６】同上のアタッチメントの斜視図である。
【符号の説明】
【００２０】
１  本体
２  刃部
３  アタッチメント
４  上カバー
１２  ばね部材
１９  ガイドリブ
３１  折り返し片
【図１】
0004501853.tif 000002
【図２】
0004501853.tif 000003
【図３】
0004501853.tif 000004
【図４】
0004501853.tif 000005
【図５】
0004501853.tif 000006
【図６】
0004501853.tif 000007